Podtech/llm-jp-corpus-v4-ja_patent huggingface dataset:
【手続補正書】
【提出日】平成16年6月28日(2004.6.28)
【手続補正１】
【補正対象書類名】明細書
【補正対象項目名】発明の名称
【補正方法】変更
【補正の内容】
【発明の名称】表示装置及び半導体集積回路及びその駆動方法
【手続補正２】
【補正対象書類名】明細書
【補正対象項目名】特許請求の範囲
【補正方法】変更
【補正の内容】
【特許請求の範囲】
【請求項１】
スイッチング素子と保持容量とバッファ素子を有する回路であって、前記スイッチング素子と前記保持容量が電気的に接続され、前記保持容量と前記バッファ素子がそれぞれ電気的に接続されていることを特徴とする半導体集積回路。
【請求項２】
スイッチング素子と保持容量とバッファ素子を有する回路であって、前記保持容量の一方の電極が、前記スイッチング素子の出力部と前記バッファ素子の入力部に電気的に接続されていることを特徴とする半導体集積回路。
【請求項３】
前記スイッチング素子と前記バッファ素子とがＴＦＴにより構成され、前記ＴＦＴはチャネル領域とソース領域とドレイン領域とオフセット領域を有し、前記オフセット領域の幅は１００〜１０００ｎｍであることを特徴とする請求項１又は２に記載の半導体集積回路。
【請求項４】
前記保持容量は５０〜２００ｆＦの範囲の容量を有していることを特徴とする請求項１乃至３のいずれか一項に記載の半導体集積回路。
【請求項５】
前記スイッチング素子は１つのＮチャネルＴＦＴと１つのＰチャネルＴＦＴからなり、前記ＮチャネルＴＦＴと前記ＰチャネルＴＦＴのソース及びドレインの一方が前記スイッチング素子の入力部であり、前記ＮチャネルＴＦＴと前記ＰチャネルＴＦＴのソース及びドレインの他方が前記スイッチング素子の出力部であり、前記ＮチャネルＴＦＴと前記ＰチャネルＴＦＴのゲートが前記スイッチング素子のオン・オフ制御部になる構成であることを特徴とする請求項１乃至４のいずれか一項に記載の半導体集積回路。
【請求項６】
前記スイッチング素子を構成するＴＦＴは複数のゲートを有することを特徴とする請求項５に記載の半導体集積回路。
【請求項７】
前記スイッチング素子は１つのＮチャネルＴＦＴからなることを特徴とする請求項１乃至４のいずれか一項に記載の半導体集積回路。
【請求項８】
前記スイッチング素子は複数のＮチャネルＴＦＴを直列に接続した構成であることを特徴とする請求項１乃至４のいずれか一項に記載の半導体集積回路。
【請求項９】
前記スイッチング素子は１つのＰチャネルＴＦＴからなることを特徴とする請求項１乃至４のいずれか一項に記載の半導体集積回路。
【請求項１０】
前記スイッチング素子は複数のＰチャネルＴＦＴを直列に接続した構成であることを特徴とする請求項１乃至４のいずれか一項に記載の半導体集積回路。
【請求項１１】
画素部と駆動回路を有する表示装置であって、前記駆動回路はラッチ回路を有し、請求項１乃至１０のいずれか一項に記載された半導体集積回路を前記ラッチ回路として用いることを特徴とする表示装置。
【請求項１２】
画素部と駆動回路を有する表示装置であって、前記駆動回路はシフトレジスタユニットを有し、請求項１乃至１０のいずれか一項に記載された半導体集積回路を前記シフトレジスタユニットとして用いることを特徴とする表示装置。
【請求項１３】
前記表示装置は液晶表示装置又はＥＬ表示装置であることを特徴とする請求項１１又は１２に記載の表示装置。
【請求項１４】
入力デジタル信号がスイッチング素子によりサンプリングされ、前記スイッチング素子によりサンプリングされた前記入力デジタル信号の電圧情報が、前記スイッチング素子の出力部に接続された保持容量により保持され、前記保持容量に保持された前記電圧情報に応じた出力デジタル信号が、前記保持容量に接続されたバッファ素子を介して出力されることを特徴とする半導体集積回路の駆動方法。
【請求項１５】
前記保持容量が電圧情報を保持する期間は３０マイクロ秒以下であることを特徴とする請求項１４記載の半導体集積回路の駆動方法。
【請求項１６】
リフレッシュ動作なしに前記保持容量が前記電圧情報を保持する時間は３０マイクロ秒以下であることを特徴とする請求項１４に記載の半導体集積回路の駆動方法。
【手続補正３】
【補正対象書類名】明細書
【補正対象項目名】００２２
【補正方法】変更
【補正の内容】
【００２２】
なお電圧情報を記憶するとは、電圧情報を読込み保持することをいう。
また電圧情報を保持する時間の短期間とは、３０マイクロ秒以下の場合をいう。
ただし前記短期間は、３０マイクロ秒を超えても、電圧情報の保持が電気容量のみによってなされ、読込みが１電圧情報に対して１度だけであり、ダイナミックメモリにおいて行われるようなリフレッシュ動作もされない場合は含まれる。リフレッシュ動作とは前記電気容量に保持された電圧情報が、時間経過に伴い電気容量の容量電荷の逸散により変更されてしまう、或いは変更されてしまう危険が生ずるのを防ぐ目的で、前記電気容量に電圧情報保持に必要な容量電荷を電圧情報読込み後にも供給してやることをいう。
【手続補正書】
【提出日】平成17年6月10日(2005.6.10)
【手続補正１】
【補正対象書類名】明細書
【補正対象項目名】特許請求の範囲
【補正方法】変更
【補正の内容】
【特許請求の範囲】
【請求項１】
走査しようとする物体の方に光を導くための光源と、基板に形成され、その各々が入力端および出力端を備えている細長い光導波路の平面状配列と、前記物体から反射した光を前記各導波路の入力端に伝えるための入力光学手段と、光電性画像センサと、前記各導波路の出力端から送られた光を前記画像センサに伝えるための出力光学手段と、を備える光学走査器。
【請求項２】
前記各導波路は、前記入力端から前記出力端までの幅が先細りとなっている請求項１に記載の光学走査器。
【請求項３】
前記各導波路は、前記入力端から前記出力端までの高さが先細りとなっている請求項２に記載の光学走査器。
【請求項４】
更に、前記導波路の配列に組み込まれ、前記導波路の基板の平面内に配置された集光器と、前記導波路の基板に垂直な平面に対して、光を集めるようになっている外部集光器とを備えている請求項１に記載の光学走査器。
【請求項５】
前記入力光学手段は、入力端に入射した光の角度により変る部分をそれを通して出力端に伝えることができる管の配列を備え、前記各管は、前記各導波路の入力端と近接し、軸方向に整列し且つ実質的に同じ断面寸法である、出力端を持つ光伝送貫通穴を備えている請求項１に記載の光学走査器。
【請求項６】
前記光電性画像センサは、複数のセンサ列を有する二次元センサ配列を備え、前記導波路の配列は、線状に整列した入力端および前記センサ列と整合して積み重ねられた出力端を備えている請求項１に記載の光学走査器。
【手続補正書】
【提出日】平成16年4月26日(2004.4.26)
【手続補正１】
【補正対象書類名】明細書
【補正対象項目名】請求項１
【補正方法】変更
【補正の内容】
【請求項１】
原稿を読み取って、その内容をＦＡＸなどの外部機器に接続して複写したり、送信することができるハンドスキャナ装置において、
装置の外枠を構成する矩形状のハウジングの底面側に、
原稿の表面に直接押し当てられ、原稿の読み取り動作に応じて回転するローラと、上記ローラの回転を検知して起動する原稿読取部とを有し、
上記原稿読取部を挟んで一対の上記ローラを平行に配設し、
これらの一対のローラのうち少なくとも一方のローラが回転することで上記原稿読取部を起動するようにしたことを特徴とするハンドスキャナ装置。
【手続補正２】
【補正対象書類名】明細書
【補正対象項目名】００１０
【補正方法】変更
【補正の内容】
【００１０】
【課題を解決するための手段】
上述の課題を解決するため、請求項１に記載したこの発明に係るハンドスキャナ装置では、装置の外枠を構成する矩形状のハウジングの底面側に、原稿の表面に直接押し当てられ、原稿の読み取り動作に応じて回転するローラと、このローラの回転を検知して起動する原稿読取部とを有し、このローラを原稿読取部を挟んで対になるように平行に配設し、これらの一対のローラのうち少なくとも一方のローラが回転することで原稿読取部を起動するようにしたことを特徴とするものである。
【手続補正書】
【提出日】平成16年10月13日(2004.10.13)
【手続補正１】
【補正対象書類名】明細書
【補正対象項目名】特許請求の範囲
【補正方法】変更
【補正の内容】
【特許請求の範囲】
【請求項１】
二重焦点光学系と、
この二重焦点光学系で得られる画像を撮像する撮像手段と、
この撮像手段で撮像された画像のうち前記二重焦点光学系の一方の焦点面での画像を合焦画像に回復処理する空間周波数フィルタを有し、前記空間周波数フィルタを用いて前記撮像手段により撮像された画像全体を回復する画像処理手段とを具備したことを特徴とする画像処理装置。
【請求項２】
前記合焦画像はコントラスト情報に基づいて得られることを特徴とする請求項１記載の画像処理装置。
【請求項３】
空間周波数フィルタは、前記二重焦点光学系の２つの焦点を構成する光線のうち一方の光線について焦点が合い、他方の光線について焦点が合っていない物体面での画像に対して、焦点の合っている光線のみによる画像の空間周波数特性をＨ1 、焦点の合っていない光線のみによる画像の空間周波数特性をＨ2 、焦点の合っている物体面での両方の光線による画像の空間周波数特性をＨ（＝Ｈ1 ＋Ｈ2 ）としたとき、前記焦点の合っている物体面の画像を理想的に回復するＭ＝（Ｈ1 −Ｈ2 ）／Ｈなる空間周波数特性を有することを特徴とする請求項１記載の画像処理装置。
【請求項４】
二重焦点光学系は、少なくとも１枚以上の複屈折結晶で作られたレンズからなることを特徴とする請求項１記載の画像処理装置。
【請求項５】
前記二重焦点光学系の２つの焦点を作る光線の焦点深度は連続していることを特徴とする請求項１記載の画像処理装置。
【請求項６】
複数焦点光学系と、
前記複数焦点光学系で得られる画像を撮像する撮像手段と、
前記撮像手段で撮像された画像を処理する空間周波数フィルタと、
前記空間周波数フィルタを用いて前記撮像手段により撮像された画像を処理する画像処理手段とを具備したことを特徴とする画像処理装置。
【請求項７】
前記画像処理手段は、前記撮像手段により撮像された画像を合焦画像に回復処理することを特徴とする請求項６記載の画像処理装置。
【請求項８】
前記合焦画像はコントラスト情報に基づいて得られることを特徴とする請求項７記載の画像処理装置。
【請求項９】
前記複数焦点光学系は、少なくとも１枚以上の複屈折結晶で作られたレンズからなることを特徴とする請求項６記載の画像処理装置。
【請求項１０】
複数焦点光学系の各焦点を作る光線の焦点深度は連続していることを特徴とする請求項６記載の画像処理装置。
【手続補正２】
【補正対象書類名】明細書
【補正対象項目名】０００７
【補正方法】変更
【補正の内容】
【０００７】
請求項３記載の発明は、請求項１記載において、空間周波数フィルタは、前記二重焦点光学系の２つの焦点を構成する光線のうち一方の光線について焦点が合い、他方の光線について焦点が合っていない物体面での画像に対して、焦点の合っている光線のみによる画像の空間周波数特性をＨ1 、焦点の合っていない光線のみによる画像の空間周波数特性をＨ2 、焦点の合っている物体面での両方の光線による画像の空間周波数特性をＨ（＝Ｈ1 ＋Ｈ2 ）としたとき、該焦点の合っている物体面の画像を理想的に回復するＭ＝（Ｈ1 −Ｈ2 ）／Ｈなる空間周波数特性を有している。
【手続補正３】
【補正対象書類名】明細書
【補正対象項目名】０００８
【補正方法】変更
【補正の内容】
【０００８】
請求項４記載の発明は、請求項１記載において、二重焦点光学系は、少なくとも１枚以上の複屈折結晶で作られたレンズからなっている。この結果、発明によれば、空間周波数フィルタにより二重焦点光学系を通して撮像した画像から二重像の劣化成分を取り除くことができ、分解能、作動距離を維持したまま焦点深度を２倍にすることができる。また、空間周波数フィルタによる直接の回復処理により劣化の回復を行うことで、リアルタイムによる観察が可能になる。
【手続補正書】
【提出日】平成17年5月27日(2005.5.27)
【手続補正１】
【補正対象書類名】明細書
【補正対象項目名】特許請求の範囲
【補正方法】変更
【補正の内容】
【特許請求の範囲】
【請求項１】
画像を示すコマンドを入力する入力手段と、
前記画像を示すコマンドからビットマップデータを生成するビットマップデータ生成手段と、
画像を構成するオブジェクトの属性と前記ビットマップデータとに基づいて属性情報を生成する属性生成手段とを具備することを特徴とする画像処理装置。
【請求項２】
前記属性情報は、前記ビットマップデータの２次元座標位置に対応付けられて生成され、同一座標の属性情報は該ビットマップデータと同期して出力されることを特徴とする請求項１に記載の画像処理装置。
【請求項３】
前記画像における文字／線画の太さにより出力線数を切り替える切替手段を更に具備することを特徴とする請求項１に記載の画像処理装置。
【請求項４】
前記画像中の文字及び線画部分の太さを判定する手段と、画像中の文字或いは線画の輪郭を判定する手段と、画像中の線画の彩度を判定する手段とを更に具備することを特徴とする請求項１に記載の画像処理装置。
【請求項５】
前記属性情報に応じて前記ビットマップデータの解像度を補間することにより、解像度を向上した画像データを生成する手段を更に具備することを特徴とする請求項１に記載の画像処理装置。
【請求項６】
前記属性情報は、ベクトル画像領域か否かを表わす情報、文字領域か否かを表わす情報、オブジェクトの境界部分か否かを表わす情報、前記ベクトル画像領域が変化する画素の情報、該ベクトル画像領域が変化する画素に隣接する画素の情報のいずれかを含むことを特徴とする請求項１に記載の画像処理装置。
【請求項７】
前記属性情報に従って前記ビットマップデータにスムージング処理を施すことを特徴とする請求項１に記載の画像処理装置。
【請求項８】
前記属性情報に従って画像形成に用いる線数を決定すると共に、前記ビットマップデータにスムージング処理を施すことを特徴とする請求項１に記載の画像処理装置。
【請求項９】
画像を示すコマンドを入力する入力工程と、
前記画像を示すコマンドからビットマップデータを生成するビットマップデータ生成工程と、
画像を構成するオブジェクトの属性と前記ビットマップデータとに基づいて属性情報を生成する属性生成工程とを備えることを特徴とする画像処理方法。
【請求項１０】
前記属性情報は、前記ビットマップデータの２次元座標位置に対応付けられて生成され、同一座標の属性情報は該ビットマップデータと同期して出力されることを特徴とする請求項９に記載の画像処理方法。
【請求項１１】
前記画像における文字／線画の太さにより出力線数を切り替える切替工程を更に備えることを特徴とする請求項９に記載の画像処理方法。
【請求項１２】
前記画像中の文字及び線画部分の太さを判定する工程と、画像中の文字或いは線画の輪郭を判定する工程と、画像中の線画の彩度を判定する工程とを更に備えることを特徴とする請求項９に記載の画像処理方法。
【請求項１３】
前記属性情報に応じて前記ビットマップデータの解像度を補間することにより、解像度を向上した画像データを生成する工程を更に備えることを特徴とする請求項９に記載の画像処理方法。
【請求項１４】
前記属性情報は、ベクトル画像領域か否かを表わす情報、文字領域か否かを表わす情報、オブジェクトの境界部分か否かを表わす情報、前記ベクトル画像領域が変化する画素の情報、該ベクトル画像領域が変化する画素に隣接する画素の情報のいずれかを含むことを特徴とする請求項９に記載の画像処理方法。
【請求項１５】
前記属性情報に従って前記ビットマップデータにスムージング処理を施すことを特徴とする請求項９に記載の画像処理方法。
【請求項１６】
前記属性情報に従って画像形成に用いる線数を決定すると共に、前記ビットマップデータにスムージング処理を施すことを特徴とする請求項９に記載の画像処理方法。
【請求項１７】
画像処理のプログラムコードが格納されたコンピュータ可読メモリであって、
画像を示すコマンドを入力する工程のコードと、
前記画像を示すコマンドからビットマップデータを生成する工程のコードと、
画像を構成するオブジェクトの属性と前記ビットマップデータとに基づいて属性情報を生成する工程のコードとを備えることを特徴とするコンピュータ可読メモリ。
【手続補正２】
【補正対象書類名】明細書
【補正対象項目名】０００６
【補正方法】削除
【補正の内容】
【手続補正３】
【補正対象書類名】明細書
【補正対象項目名】０００７
【補正方法】変更
【補正の内容】
【０００７】
【発明が解決しようとする課題】
外部機器より転送されてくるフルカラー画像データに対して文字及び写真が混在している場合には、カラー複写機等に搭載される適応処理回路を用いることにより、より画質を高めることができる。しかしながら、像域分離により文字領域を１００％検出できるとは限らず、また自然画像領域の中で文字領域を誤検出してしまう場合もあり、信頼性に欠けるという不具合がある。
【手続補正４】
【補正対象書類名】明細書
【補正対象項目名】０００８
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】変更
【補正の内容】
【００１２】
【課題を解決するための手段】
上述の目的を達成するため、本発明の画像処理装置は以下の構成を備える。即ち、
画像を示すコマンドを入力する入力手段と、
前記画像を示すコマンドからビットマップデータを生成するビットマップデータ生成手段と、
画像を構成するオブジェクトの属性と前記ビットマップデータとに基づいて属性情報を生成する属性生成手段とを備える。
【手続補正８】
【補正対象書類名】明細書
【補正対象項目名】０１１８
【補正方法】削除
【補正の内容】
【手続補正９】
【補正対象書類名】明細書
【補正対象項目名】０１１９
【補正方法】変更
【補正の内容】
【０１１９】
【発明の効果】
以上説明したように、本発明によれば、画像を示すコマンドから生成されるビットマップデータに対して、画像を構成するオブジェクトの属性及びビットマップデータの特徴を利用して適応処理を施し、ビットマップデータの特徴のみを用いて適応処理を行う時の誤判定を低減し、更に画質の向上に際し、補間、スムージング、像形成における線数のコントロールを行うので、例えば、文字オブジェクトの端部におけるギザギザ感を低減して、高い解像度の画像とすることが可能となる。
【手続補正書】
【提出日】平成16年3月22日(2004.3.22)
【手続補正１】
【補正対象書類名】明細書
【補正対象項目名】特許請求の範囲
【補正方法】変更
【補正の内容】
【特許請求の範囲】
【請求項１】
入力画像を拡大／縮小する拡大／縮小手段と、
画像の２次元領域を参照し入力画像信号に対して画質変換処理を行う変換手段と、
前記拡大／縮小手段及び変換手段による画像処理順序を切り替える手段と、
所望の拡大／縮小率に応じて前記画像処理順序を切り替えるために前記切り替え手段を制御する制御手段と、
を具備することを特徴とする画像処理装置。
【請求項２】
入力画像を拡大／縮小する拡大／縮小手段と、
画像の２次元領域を参照し入力画像信号に対して画質変換処理を行う変換手段と、
前記拡大／縮小手段及び変換手段による画像処理順序を切り替える手段と、
所望の拡大／縮小率に応じて前記画像処理順序を切り替えるために前記切り替え手段を制御する制御手段と、
この制御手段にて画像処理順序が設定された前記変換手段から出力される画像信号に基づいて画像を形成する画像形成手段と、
を具備することを特徴とする画像形成装置。
【請求項３】
外部から画像データを入力する画像入力手段と、
画像データを記憶する記憶手段と、
前記記憶手段を用いて入力画像信号に対し拡大又は縮小処理の一方の処理を制御信号に応じて施す拡大／縮小手段と、
画像の２次元領域を参照し入力画像信号に対して画質の変換処理を行う変換手段と、
前記拡大／縮小手段及び前記変換手段により処理された画像データを外部へ出力する画像出力手段と、
前記画像入力手段及び画像出力手段間の前記拡大／縮小手段と変換手段の接続関係を切り替える切替え手段と、
所望の拡大又は縮小処理に応じて前記拡大／縮小手段に前記制御信号を供給し、所望の拡大又は縮小率に応じて前記拡大／縮小手段及び前記画質変換手段による画像処理の順序を変更するために前記切り替え手段を制御する制御手段、
を具備することを特徴とする画像形成装置。
【請求項４】
前記変換手段は画調を変換する為のデジタルフィルタを有することを特徴とする請求項１又は２記載の画像形成装置。
【請求項５】
前記変換手段は画調を変換する為の変換信号生成部を有することを特徴とする請求項２又は３記載の画像形成装置。
【請求項６】
前記制御手段は拡大／縮小率に応じて前記デジタルフィルタの特性を変更する変更手段を具備することを特徴とする請求項４記載の画像形成装置。
【請求項７】
前記変換手段は画像エッジ部の強調及び平滑化を行うデジタルフィルタを有し、
前記制御手段は画像縮小処理の場合、前記デジタルフィルタが前記縮小／拡大手段の後に接続され、画像拡大処理の場合、前記縮小／拡大手段の前に接続されるように前記切替え手段を制御することを特徴とする請求項２又は３記載の画像形成装置。
【請求項８】
画像にフィルタ処理および拡大/縮小処理を行う画像処理方法において、
前記拡大処理をするときは前記拡大処理の後にフィルタ処理をし、
前記縮小処理をするときは前記縮小処理の前にフィルタ処理をする
ことを特徴とする画像処理方法。
【手続補正書】
【提出日】平成17年6月30日(2005.6.30)
【手続補正１】
【補正対象書類名】明細書
【補正対象項目名】特許請求の範囲
【補正方法】変更
【補正の内容】
【特許請求の範囲】
【請求項１】
パケット網(16)上のネットワーク統計情報を収集する装置(15)であって、前記パケット網上を移動するデータパケットを記憶するための入力バッファ(18)と、前記ネットワーク統計を記憶するための電子的なメモリ(66)とを備えており、前記入力バッファ及び前記電子的なメモリと通信を行う電子的なルックアップテーブル(20)であって、前記データパケットの少なくとも一部を解析し、及び前記統計情報を表す統計信号(94,95)を含む出力信号を提供する、電子的なルックアップテーブル(20)を備えており、該ルックアップテーブルが状態マシン(20)を備えていることを特徴とする、ネットワーク統計情報収集装置。
【請求項２】
パケット網(16)上のネットワーク統計情報を収集する方法であって、前記パケット網上を移動するデータパケットをバッファ(18)に記憶し、前記データパケットに関連する統計信号を電子的なメモリ(66)に記憶し、これにより前記ネットワーク統計を記録し、前記データパケットの少なくとも一部を表す第１の信号を電子的な状態マシン(20)に入力して、該前記状態マシンに前記統計信号を含む出力信号を提供させることを特徴とする、ネットワーク統計情報収集方法。
【請求項３】
前記状態マシンが連想記憶装置(ＣＡＭ)(62)からなることを特徴とする、請求項１に記載の装置又は請求項２に記載の方法。
【請求項４】
前記状態マシンが更にランダムアクセスメモリ(ＲＡＭ)(64)を備えている、請求項１に記載の装置又は請求項２に記載の方法。
【請求項５】
前記入力バッファが、前記データパケットの前記一部のビット数が所定数よりも大きい場合に該データパケットの一部を前記ＣＡＭに入力し、及び前記データパケットの前記一部のビット数が前記所定数以下の場合に該データパケットの一部を前記ＲＡＭに入力するための論理ユニット(50)を備えている、請求項３に記載の装置又は方法。
【請求項６】
前記状態マシンが、ＣＡＭ(62)を含む連想記憶装置(ＣＡＭ)マネージャ論理ユニット(60)と、ＲＡＭ(64)を含むランダムアクセスメモリ(ＲＡＭ)マネージャ論理ユニット(70)と備えており、前記出力信号が前記ＲＡＭマネージャ論理ユニットから出力された信号からなる、請求項１に記載の装置又は請求項２に記載の方法。
【請求項７】
前記状態マシンが入力(86A)及び出力(90)を有しており、該出力が該入力に電気的に接続されている、請求項１に記載の装置又は請求項２に記載の方法。
【請求項８】
前記出力信号(89〜95,40)が、前記メモリの所定のレジスタのカウントをインクリメントする命令と、前記メモリに新しいカウントレジスタを追加する命令と、前記パケット網上を移動する特定のデータセグメントをキャプチャＲＡＭに記憶させるためにスナップショットトリガを生成する命令と、該装置によりまだ確認されていない前記パケット網上を移動するデータパケットのパターンに対応する新しい内容パターンを前記ＣＡＭに書き込む命令(833)と、解析中の現在のデータセグメントから所定のオフセット値だけオフセットされた、及び前記状態マシンにより解析されるべき、新しいデータセグメントを提供する命令と、前記データ部分を更に解析する命令とからなるグループから選択された１つの命令を含む、請求項１に記載の装置又は請求項２に記載の方法。
【請求項９】
前記出力信号がトリガ信号(437)を含み、前記装置(15)が、前記トリガ信号に応じて特定のデータパケットのＰＣＩアドレスを記憶する論理ユニット(412)を備えている、請求項１に記載の装置又は請求項２に記載の方法。
【請求項１０】
前記電子的なメモリが、第１のカウンタ部分(66A)及び第２のカウンタ部分(66B)を備えており、前記装置が、前記カウンタを用いて統計情報を収集するアクティブ状態と前記カウンタの読出処理を行う非アクティブ状態との間で前記第１のカウンタ部分と前記第２のカウンタ部分とを切り換えるハートビート制御論理回路(906,908)を更に備えている、請求項１に記載の装置又は請求項２に記載の方法。
【手続補正書】
【提出日】平成17年6月3日(2005.6.3)
【手続補正１】
【補正対象書類名】明細書
【補正対象項目名】特許請求の範囲
【補正方法】変更
【補正の内容】
【特許請求の範囲】
【請求項１】
地上を基地とし、また、衛星を基地とする、任意の携帯電話のフィールド試験装置であって、
携帯電話ネットワークに組み込まれるべく構成された試験および測定装置を備え、前記試験および測定装置は、前記携帯電話ネットワーク内で現在利用可能であるが認識されていない、対象とする携帯電話の動作に関連する情報を取得する測定回路を備え、前記携帯電話ネットワークは、既知の性能パラメータを有するある場所から前記対象とする携帯電話によって送信された信号を受信し、及び、前記対象とする携帯電話に信号を送出し、前記試験および測定装置はさらに、前記携帯電話ネットワークの動作を制御して、前記対象とする携帯電話に対して１つまたは複数の試験を実行するように構成された試験モジュールを備えることからなる、フィールド試験装置。
【請求項２】
前記試験モジュールは、前記対象とする携帯電話の試験中に携帯電話ネットワーク動作条件をシミュレートする１つまたは複数の試験機能を提供することからなる、請求項１に記載のフィールド試験装置。
【請求項３】
携帯電話のフィールド試験方法であって、
既存の携帯電話ネットワークに組み込まれた試験および測定装置によって、理想的な電話機用に特徴づけられたある場所から対象とする携帯電話を用いて発呼するステップと、
前記既存の携帯電話ネットワークを用いて前記対象とする携帯電話と前記試験および測定装置との間の通信を維持するステップであって、前記携帯電話ネットワークは前記対象とする携帯電話によって送信された信号を受信し、前記対象とする携帯電話に信号を送信することからなる、ステップと、
前記試験および測定装置を用いて、前記携帯電話ネットワーク内で現在利用可能であるが認識されていない、前記対象とする携帯電話の動作に関する情報を取得するステップと、
前記携帯電話ネットワークの動作を制御して、前記対象とする携帯電話に対して１つまたは複数の試験を実行するステップ
を含む方法。
【請求項４】
前記１つまたは複数の試験は、前記対象とする携帯電話が発呼不能である場合には、代わりとして、標準回線を介して開始される、請求項３に記載の方法。
【請求項５】
前記１つまたは複数の試験は、
受け渡しのシミュレーションと、
信号生成試験と、
信号レベルを変化させて、フェーディングのシミュレーションをし、送出信号強度および受信機感度の両方を特徴づけることと、
音質、キーパッド動作およびデータ交換能力のうちの任意のものを含む電話機能の試験
とのうちの任意のものを含む、請求項３に記載の方法。
【請求項６】
前記対象とする携帯電話の状態と、前記対象とする携帯電話に関する前記ユーザーの不満の原因と、修理法とのうちの任意のものを示す１つまたは複数の報告を作成して、適切な受領者に配付するステップであって、これによって、携帯電話ネットワークの通信可能範囲の欠落、予防用のメンテナンスの必要性、および携帯電話の特定の機種とのシステムのコンパチビリティの問題を表す苦情の集中度を示すデータを提供するステップをさらに含む、請求項３に記載の方法。
【請求項７】
既存の携帯電話ネットワーク機能を用いて、試験結果を取得および送信し、及び、請求および他の課金情報を取得、配分および送信するステップをさらに含む、請求項３に記載の方法。
【手続補正書】
【提出日】平成16年9月10日(2004.9.10)
【手続補正１】
【補正対象書類名】明細書
【補正対象項目名】特許請求の範囲
【補正方法】変更
【補正の内容】
【特許請求の範囲】
【請求項１】
相互に平行に配置されたｎ（ｎは３以上の自然数）個の基板と、前記各基板間に夫々複数個配置された熱電素子と、各基板の対向面に形成され各１対の基板間に配置された複数個の熱電素子を直列又は並列に接続する下部電極及び上部電極と、最下層の基板上に形成され最下層の基板上で直列又は並列に接続された熱電素子群の両端部の１対の下部電極に夫々接続された１対の第１のリードと、最下層の基板上に配置され最下層から２乃至（ｎ−１）番目の基板上の熱電素子群に接続された各１対の第２乃至第（ｎ−１）の接続用熱電素子と、前記第２乃至第（ｎ−１）の接続用熱電素子の下部電極に夫々接続された各１対の第２乃至第（ｎ−１）のリードと、を有することを特徴とする熱電装置。
【請求項２】
前記各１対の第１乃至第（ｎ−１）のリードのうち、２対以上のリード対の低電位側又は高電位側のリードが共通化されていることを特徴とする請求項１に記載の熱電装置。
【請求項３】
前記共通化されたリードが接地電極に接続されていることを特徴とする請求項２に記載の熱電装置。
【請求項４】
前記ｎが４以上であり、前記最下層の基板から２乃至（ｎ−２）番目の基板上には、それより上層の熱電素子群を前記最下層の基板上の第２乃至第（ｎ−１）の接続用熱電素子に接続する他の接続用熱電素子が設けられていることを特徴とする請求項１乃至３のいずれか１項に記載の熱電装置。
【請求項５】
前記最下層の基板からｋ番目（ｋは２乃至（ｎ−１）の整数）の基板上に設けられた前記熱電素子群と（ｋ−１）番目の基板上に設けられた前記接続用熱電素子とは、前記ｋ番目の基板に設けられたスルーホールに形成された導電材により接続されていることを特徴とする請求項１乃至４のいずれか１項に記載の熱電装置。
【請求項６】
前記最下層の基板からｋ番目（ｋは２乃至（ｎ−１）の整数）の基板上に設けられた前記熱電素子群と（ｋ−１）番目の基板上に設けられた前記接続用熱電素子とは、前記ｋ番目の基板の側面の一部を覆うように前記ｋ番目の基板に取り付けられた接続部材により接続されていることを特徴とする請求項１乃至４のいずれか１項に記載の熱電装置。
【請求項７】
前記最下層の基板からｋ番目（ｋは２乃至（ｎ−１）の整数）の基板上に設けられた前記熱電素子群と（ｋ−１）番目の基板上に設けられた前記接続用熱電素子とは、前記ｋ番目の基板の側面の一部を覆うように形成された半田層により接続されていることを特徴とする請求項１乃至４のいずれか１項に記載の熱電装置。
【請求項８】
前記第１乃至第（ｎ−１）のリードのうち少なくとも１対のリードには、ポスト電極が接続されていることを特徴とする請求項１乃至７のいずれか１項に記載の熱電装置。
【手続補正２】
【補正対象書類名】明細書
【補正対象項目名】００１０
【補正方法】変更
【補正の内容】
【００１０】
【課題を解決するための手段】
本発明に係る熱電装置は、相互に平行に配置されたｎ（ｎは３以上の自然数）個の基板と、前記各基板間に夫々複数個配置された熱電素子と、各基板の対向面に形成され各１対の基板間に配置された複数個の熱電素子を直列又は並列に接続する下部電極及び上部電極と、最下層の基板上に形成され最下層の基板上で直列又は並列に接続された熱電素子群の両端部の１対の下部電極に夫々接続された１対の第１のリードと、最下層の基板上に配置され最下層から２乃至（ｎ−１）番目の基板上の熱電素子群に接続された各１対の第２乃至第（ｎ−１）の接続用熱電素子と、前記第２乃至第（ｎ−１）の接続用熱電素子の下部電極に夫々接続された各１対の第２乃至第（ｎ−１）のリードと、を有することを特徴とする。
【手続補正３】
【補正対象書類名】明細書
【補正対象項目名】００１１
【補正方法】変更
【補正の内容】
【００１１】
本発明においては、２乃至（ｎ−１）番目の基板上に配置されている熱電素子群は、夫々、最下層の基板上に配置された第２乃至第（ｎ−１）のリード及び第２乃至第（ｎ−１）の接続用熱電素子を介して電力が供給される。このため、２乃至（ｎ−１）番目の基板上にこの基板上に配置された熱電素子群に電力を供給するためのリードを設ける必要がない。これにより、このリードを介して２乃至（ｎ−１）番目の基板に熱が入出することを防止でき、熱電装置の冷却及び加熱効率を向上させることができる。
【手続補正４】
【補正対象書類名】明細書
【補正対象項目名】００１２
【補正方法】変更
【補正の内容】
【００１２】
また、前記各１対の第１乃至第（ｎ−１）のリードのうち、２対以上のリード対の低電位側又は高電位側のリードが共通化されていてもよく、この共通化されたリードが接地電極に接続されていてもよい。これにより、リードの本数を減らすことができる。この結果、熱電装置のコストを低減でき、リードを介して入出する熱量を低減することができ、熱電素子を制御するための回路を簡略化することができる。
【手続補正書】
【提出日】平成16年7月20日(2004.7.20)
【手続補正１】
【補正対象書類名】明細書
【補正対象項目名】特許請求の範囲
【補正方法】変更
【補正の内容】
【特許請求の範囲】
【請求項１】
画像を取得する手段と、
上記取得画像を表示する手段と、
上記取得画像中の文字行記載領域を抽出する手段と、
上記抽出手段によって抽出される文字行記載領域を確定する手段とを有する携帯端末であって、
上記抽出手段は、上記確定手段に入力があるまで、上記取得画像の更新に応じて上記文字行記載領域を複数回抽出し、上記表示手段上に該抽出結果に基づいて更新される文字行記載領域を表示することを特徴とする携帯端末装置。
【請求項２】
上記表示手段はマーカーを有し、
上記抽出手段は上記取得画像中のパターンを検出し、
上記マーカーに最近傍の上記パターンを核として近接する上記パターンを連結することで文字行記載領域を抽出することを特徴とする請求項１記載の携帯端末装置。
【請求項３】
上記マーカーは移動可能であることを特徴とする請求項２に記載の携帯端末装置。
【請求項４】
上記携帯端末はさらに、
上記抽出された文字行記載領域中の文字行を認識する文字行認識手段と、
該文字行認識手段によって認識された複数の認識結果を提示する手段と、
上記複数の認識結果のうちの１を選択する手段を有することを特徴とする請求項１乃至３のいずれかに記載の携帯端末装置。
【請求項５】
上記携帯端末はさらに高精細化手段を有し、
上記高精細化手段は、上記確定された文字行記載領域を取り出して得られる部分画像に対し、画素補完し、上記画素補完された部分画像を平滑化し、さらに２値化することを特徴とする請求項１乃至４のいずれかに記載の携帯端末装置。
【請求項６】
上記パターンの連結に際しては、各パターンの外接矩形を用いて近接するパターンを判断することを特徴とする請求項２乃至５のいずれかに記載の携帯端末装置。
【請求項７】
情報端末において入力される画像データ中から文字行記載領域を抽出する文字行記載領域抽出方法であって、
画像を取得する第１のステップと、
該情報端末が有する表示部に上記取得画像を表示する第２のステップと、
上記取得画像中の文字行記載領域を抽出する第３のステップとを有し、
上記第３のステップは、上記取得画像の更新に応じて上記文字行記載領域を複数回抽出し、上記表示部に該抽出結果に基づいて更新される文字行記載領域を表示することを特徴とする文字行記載領域抽出方法。
【請求項８】
請求項７記載の文字行記載領域抽出方法であって、
上記第３のステップは、上記取得画像中のパターンを検出し、
上記表示部に表示されるマーカーに最近傍の上記パターンを核として近接する上記パターンを連結することで文字行記載領域を抽出することを特徴とする文字行記載領域抽出方法。
【請求項９】
上記マーカーは移動可能であることを特徴とする請求項８記載の文字行記載領域抽出法方法。
【請求項１０】
請求項７記載の文字行記載領域抽出方法であって、
上記抽出された文字行記載領域中の文字行を認識する第４のステップと、
該認識された複数の認識結果を提示する第５のステップと、
上記複数の認識結果のうちの１を選択する第６のステップとを有することを特徴とする文字行記載領域抽出方法。
【請求項１１】
請求項７記載の文字行記載領域抽出方法であって、
上記確定された文字行記載領域を取り出して得られる部分画像に対し、画素補完し、上記画素補完された部分画像を平滑化し、さらに２値化する第７のステップを有することを特徴とする文字行記載領域抽出方法。
【請求項１２】
上記パターンは上記取得画像中の連結成分の外接矩形であることを特徴とする請求項８記載の文字行記載領域抽出方法。
【手続補正書】
【提出日】平成17年4月28日(2005.4.28)
【手続補正１】
【補正対象書類名】明細書
【補正対象項目名】特許請求の範囲
【補正方法】変更
【補正の内容】
【特許請求の範囲】
【請求項１】
信号を受信する方法であって、
入力電圧を第１の基準電圧と比較するステップと、
前記入力電圧を第２の基準電圧と比較するステップであって、前記第１の基準電圧と前記第２の基準電圧のいずれかがアクティブであることからなる、ステップと、
前記第１の基準電圧と前記第２の基準電圧のいずれかである前記アクティブな基準電圧と、前記入力電圧との差に基づいて出力電圧を選択するステップと、
前記入力電圧が前記アクティブな基準電圧と交差するときに、前記出力電圧を変化させるステップと、
前記入力電圧が前記アクティブな基準電圧と交差するときに、前記アクティブな基準電圧を変化させるステップ
を含む、方法。
【請求項２】
装置であって、
第１のコンパレータ出力を有し、第１の基準電圧と入力信号を比較する第１のコンパレータと、
第２のコンパレータ出力を有し、第２の基準電圧と前記入力信号を比較する第２のコンパレータと、
少なくとも１つの選択手段入力と１つの選択手段出力と１つの選択手段制御を有する選択手段であって、前記少なくとも１つの選択手段入力は、前記第１のコンパレータ出力及び前記第２のコンパレータ出力に接続され、前記選択手段は、前記第１の基準電圧と前記第２の基準電圧のどれがアクティブにされているかに依存して、前記第１のコンパレータ出力と前記第２のコンパレータ出力の一方の電圧を、前記選択手段出力を介して、前記装置の出力に送ることからなる、選択手段と、
少なくとも１つの入力と少なくとも１つの出力を有するアクティブ化／非アクティブ化手段であって、前記少なくとも１つの入力は、前記第１のコンパレータ出力及び前記第２のコンパレータ出力に動作可能に接続され、前記少なくとも１つの出力は、前記選択手段制御に動作可能に接続され、前記アクティブ化／非アクティブ化手段は、前記第１の出力及び前記第２の出力の状態に依存して前記選択手段を制御することからなる、アクティブ化／非アクティブ化手段
を備える装置。
【請求項３】
電子回路であって、
第１のコンパレータ第１入力と、第１のコンパレータ第２入力と、第１のコンパレータ出力を有する第１のコンパレータであって、前記第１のコンパレータ第１入力は、入力電圧に接続可能であり、前記第１のコンパレータ第２入力は、第１の基準電圧に接続されることからなる、第１のコンパレータと、
第２のコンパレータ第１入力と、第２のコンパレータ第２入力と、第２のコンパレータ出力を有する第２のコンパレータであって、前記第２のコンパレータ第１入力は、入力電圧に接続可能であり、前記第２のコンパレータ第２入力は、第２の基準電圧に接続され、前記第２の基準電圧は前記第１の基準電圧よりも小さいことからなる、第２のコンパレータと、
ＡＮＤゲートであって、前記ＡＮＤゲートの第１入力は、前記第１のコンパレータ出力に接続され、前記ＡＮＤゲートの第２入力は、前記第２のコンパレータ出力に接続される、ＡＮＤゲートと、
ＮＯＲゲートであって、前記ＮＯＲゲートの第１入力は、前記第１のコンパレータ出力に接続され、前記ＮＯＲゲートの第２入力は、前記第２のコンパレータ出力に接続される、ＮＯＲゲートと、
フリップ・フロップ第１入力とフリップ・フロップ第２入力とフリップ・フロップ出力を有するフリップ・フロップ回路であって、前記フリップ・フロップ第１入力は、前記ＡＮＤゲートの出力に接続され、前記フリップ・フロップ第２入力は、前記ＮＯＲゲートの出力に接続される、フリップ・フロップと、
マルチプレクサ第１入力とマルチプレクサ第２入力とマルチプレクサ制御とマルチプレクサ出力を有するマルチプレクサであって、前記マルチプレクサ第１入力は、前記第１のコンパレータ出力に接続され、前記マルチプレクサ第２入力は、前記第２のコンパレータ出力に接続され、前記マルチプレクサ制御は、前記フリップ・フロップ出力に接続され、前記マルチプレクサ出力は、前記電子回路の出力である、マルチプレクサ
を備える、電子回路。
【請求項４】
遅延回路であって、該遅延回路の入力が前記フリップ・フロップ出力に接続される、遅延回路と、
排他的ＮＯＲ（ＸＮＯＲ）ゲートであって、前記排他的ＮＯＲゲートの第１の入力は前記フリップ・フロップ出力に接続され、前記排他的ＮＯＲゲートの第２の入力は、前記遅延回路の出力に接続される、排他的ＮＯＲゲートと、
スイッチ入力とスイッチ出力とスイッチ制御を有するスイッチであって、前記スイッチ入力は、前記マルチプレクサ出力に接続され、前記スイッチ出力は、前記電子回路の出力であり、前記スイッチ制御は、前記排他的ＮＯＲゲートの出力に接続される、スイッチ
をさらに備える請求項３の電子回路。
【手続補正書】
【提出日】平成16年11月26日(2004.11.26)
【手続補正１】
【補正対象書類名】明細書
【補正対象項目名】請求項２
【補正方法】変更
【補正の内容】
【請求項２】
半導体基板に形成された複数の溝型素子分離領域と、
前記素子分離領域によって電気的に分離された複数の半導体活性領域と、
前記半導体活性領域と自己整合的に形成された第１の電極層と、
前記第１の電極層上に電極間絶縁膜を介して形成された第２の電極層とを具備し、
前記溝型素子分離領域の上面は、上部に前記第２の電極層が存在する領域では、前記第１の電極層の上面より低く、かつ、前記半導体活性領域の表面より高い第１の位置に存在し、上部に前記第２の電極層が存在しない領域では前記第１の位置より低い第２の位置に存在し、
前記半導体活性領域の表面は、上部に前記第２の電極層が存在する領域よりも上部に前記第２の電極層が存在しない領域の方が、前記第１の電極層の加工後の熱酸化膜形成による消費分だけ低い位置に存在することを特徴とする半導体装置。
【手続補正２】
【補正対象書類名】明細書
【補正対象項目名】請求項３
【補正方法】変更
【補正の内容】
【請求項３】
前記半導体装置は不揮発性半導体メモリであり、メモリセルトランジスタが形成されるメモリセル領域では、前記第１の電極層が浮遊ゲートとして機能し、前記第２の電極層は制御ゲートとして機能することを特徴とする請求項１または２記載の半導体装置。
【手続補正書】
【提出日】平成16年11月26日(2004.11.26)
【手続補正１】
【補正対象書類名】明細書
【補正対象項目名】請求項１
【補正方法】変更
【補正の内容】
【請求項１】
第１の絶縁層、電荷蓄積層および第２の絶縁層の三層を含む積層構造のゲート絶縁膜と、前記ゲート絶縁膜上に形成された制御電極とを有し、電気的に情報を書き込み消去可能なメモリセルを含み、
前記電荷蓄積層はシリコン窒化膜またはシリコン酸窒化膜またはAl2O3膜からなり、
前記第１の絶縁層および第２の絶縁層はそれぞれシリコン酸化膜または前記電荷蓄積層よりも酸素組成の多いシリコン酸窒化膜からなり、
前記第２の絶縁層の厚さが5(nm)以上であり、
前記制御電極はｐ型不純物を含むｐ型半導体からなることを特徴とする半導体記憶装置。
【手続補正２】
【補正対象書類名】明細書
【補正対象項目名】請求項２３
【補正方法】変更
【補正の内容】
【請求項２３】
半導体基板上に形成された第１導電型の第１の半導体領域と、
前記第１の半導体領域上に形成された第２導電型の第１ソース領域および第１ドレイン領域と、第１の絶縁層、電荷蓄積層および第２の絶縁層の三層を含む積層構造のゲート絶縁膜と、前記ゲート絶縁膜上に形成された第１の制御電極とを有し、前記電荷蓄積層はシリコン窒化膜またはシリコン酸窒化膜またはAl2O3膜からなり、前記第１の絶縁層および第２の絶縁層はそれぞれシリコン酸化膜または前記電荷蓄積層よりも酸素組成の多いシリコン酸窒化膜からなり、前記第２の絶縁層の厚さが5(nm)以上であり、前記第１の制御電極はｐ型不純物を含み、ｐ型不純物密度が２×1019(cm-3)よりも多く１×1020(cm-3)よりも少なく設定されているｐ型半導体からなり、電気的に情報を書き込み／消去可能なメモリセルトランジスタと、
前記半導体基板上に形成された第２導電型の第２の半導体領域と、
前記第２の半導体領域上に形成された第１導電型の第２ソース領域および第２ドレイン領域と、前記第２の半導体領域上に第３の絶縁層を介して形成され、ｐ型不純物を含み、ｐ型不純物密度が２×1019(cm-3)よりも多く１×1020(cm-3)よりも少なく設定されているｐ型半導体からなる第２の制御電極とを有するトランジスタと
を具備したことを特徴とする半導体記憶装置。
【手続補正３】
【補正対象書類名】明細書
【補正対象項目名】請求項２６
【補正方法】変更
【補正の内容】
【請求項２６】
半導体基板上に形成された第１導電型の第１の半導体領域と、
前記第１の半導体領域上に形成された第２導電型の第１ソース領域および第１ドレイン領域と、第１の絶縁層、電荷蓄積層および第２の絶縁層の三層を含む積層構造のゲート絶縁膜と、前記第２の絶縁層上に形成された第１の制御電極とを有し、前記電荷蓄積層はシリコン窒化膜またはシリコン酸窒化膜またはAl2O3膜からなり、前記第１の絶縁層および第２の絶縁層はそれぞれシリコン酸化膜または前記電荷蓄積層よりも酸素組成の多いシリコン酸窒化膜からなり、前記第２の絶縁層の厚さは5(nm)以上であり、前記第１の制御電極はｐ型不純物を含み、電気的に情報を書き込み／消去可能なメモリセルトランジスタと、
前記半導体基板上に形成された第２導電型の第２の半導体領域と、
前記第２の半導体領域上に形成された第１導電型の第２ソース領域および第２ドレイン領域と、前記第２の半導体領域上に第３の絶縁層を介して形成され、ｐ型不純物を含む第２の制御電極とを有するトランジスタと
を具備したことを特徴とする半導体記憶装置。
【手続補正４】
【補正対象書類名】明細書
【補正対象項目名】００３６
【補正方法】変更
【補正の内容】
【００３６】
Ｅox＝（Ｖpp−ＶFBi−φs＋ＱN/Ｃ1）／ｔeff＝（Ｖpp−ＶFB−φs）／ｔeff
（４）
さらに、ガウスの定理により、Ｅox2は以下の式で導出される。
【手続補正書】
【提出日】平成16年6月15日(2004.6.15)
【手続補正１】
【補正対象書類名】明細書
【補正対象項目名】特許請求の範囲
【補正方法】変更
【補正の内容】
【特許請求の範囲】
【請求項１】
電気接点を製造するための方法において、
ａ）基板において複数のバイアの孔内壁面をめっきするステップと、
ｂ）前記めっきされたバイアのうちの少なくともいくつかのバイアの上側にドームを形成するステップと、
ｃ）前記ドームに対して第１の金属めっきを実施するステップと、
ｄ）前記ドームをマスクするステップと、
ｅ）前記マスクによって覆われない領域内の、前記ドーム上の前記第１の金属めっきをエッチングして除去し、複数の電気接点を形成するステップであって、前記電気接点は、圧縮時に金属パッド上にワイピング作用を生成するように構成される螺旋状脚部を含むステップと、
ｆ）前記ドームを溶解するステップと、
を備える電気接点を製造するための方法。
【請求項２】
前記基板は、前記バイアが前記基板内に形成される前に、前記バイアの概ね全ての場所を包囲する金属パッドを含むことを特徴とする請求項１に記載の電気接点を製造するための方法。
【請求項３】
前記第１の金属めっきを実施するステップの後に、
ｇ）前記電気接点に対して第２の金属めっきを実施するステップをさらに含むことを特徴とする請求項１に記載の電気接点を製造するための方法。
【手続補正書】
【提出日】平成17年8月10日(2005.8.10)
【手続補正１】
【補正対象書類名】明細書
【補正対象項目名】０００６
【補正方法】変更
【補正の内容】
【０００６】
そこで、Ａｌをベースにした合金や複合材料が検討された結果、例えば珪素（以下、Ｓｉとも記述する）とＡｌの複合材料や、熱伝導率の高いセラミックスとＡｌとの複合材料が、放熱基板として使われるようになってきた。例えば、ＡｌとＳｉとの複合材料（以下、Ａｌ−Ｓｉとも記述する）は、特公昭６３−１６４５８号公報などに開示されている。また、ＡｌとＳｉＣとの複合材料（以下、Ａｌ−ＳｉＣとも記述する）については、特開平１−５０１４８９号、特開平２−２４３７２９号、特開平９−１５７７７３号、特開平１０−２８００８２号及び特開平１０−３３５５３８号の各公報にそれぞれ開示されており、これらの中間組成のＡｌ、Ｓｉ及びＳｉＣを含む複合材料も知られている。
【手続補正書】
【提出日】平成16年12月27日(2004.12.27)
【手続補正１】
【補正対象書類名】明細書
【補正対象項目名】特許請求の範囲
【補正方法】変更
【補正の内容】
【特許請求の範囲】
【請求項１】
無線通信システムにおいて認証を提供する方法であって、
加入者が第１のシステムによって使用される認証プロセスとは異なる認証プロセスを使用する第２のシステムへのアクセスを得ようと試みていることを示す第１および第２のシステムの指標の該加入者のための移動識別子を含む第１のメッセージを、第１のシステムに送信するステップと、
加入者に関連する共有秘匿データを有する第１のシステムからの第２のメッセージを受信するステップと、
共有秘匿データおよび暗号化アルゴリズムを使用する固有の要求への予想される応答を作成するステップと、
予想される応答を第２のシステムに送信するステップとを含む方法。
【請求項２】
第２のシステムの指標が、デフォルト値またはゼロ値に設定された電子的通し番号、加入者がＧＳＭに基づく無線通信システム内でローミングしていることを示すシステム機能パラメータ、または、加入者が、ＧＳＭに基づく無線通信システム内でアクセスを得ようと試みていることを示すシステム・アクセス・タイプ・パラメータのうちの少なくとも１つを含む請求項１に記載の方法。
【請求項３】
論理的ネットワーク・エンティティであって、
加入者が、第１のシステムによって使用される認証プロセスとは異なる認証プロセスを使用する第２のシステムへのアクセスを得ようと試みていることを示す第１および第２のシステムの指標の加入者のための識別子を含む第１のメッセージを第１のシステムに送信する手段と、
加入者に関連する共有秘匿データを有する第１のシステムから第２のメッセージを受信する手段と、
共有秘匿データおよび暗号化アルゴリズムを使用する固有の要求に対する予想される応答を作成する手段と、
第２のシステムへの予想される応答を送信する手段とを含む論理ネットワーク・エンティティ。
【請求項４】
第２のシステムの指標が、デフォルト値またはゼロ値に設定された電子的通し番号、加入者がＧＳＭに基づく無線通信システム内でローミングしていることを示すシステム機能パラメータ、または、加入者が、ＧＳＭに基づく無線通信システム内でアクセスを得ようと試みていることを示すシステム・アクセス・タイプ・パラメータのうちの少なくとも１つを含む請求項３に記載の論理ネットワーク・エンティティ。
【請求項５】
無線通信システムにおいて認証を提供する方法であって、
加入者が第１のシステムによって使用される認証プロセスとは異なる認証プロセスを使用する第２のシステムへのアクセスを得ようと試みていることを示す第１および第２のシステムの指標の加入者のための移動識別子を含む第１のメッセージを、第１のシステムにおいて受信するステップと、
移動識別子および第２のシステムの指標を使用して加入者に関連する共有秘匿データを決定するステップと、
共有秘匿データを有する第１のシステムからの第２のメッセージを送信するステップとを含む方法。
【請求項６】
第２のシステム指標が、デフォルト値またはゼロ値に設定された電子的通し番号、加入者がＧＳＭに基づく無線通信システム内でローミングしていることを示すシステム機能パラメータ、または、加入者が、ＧＳＭに基づく無線通信システム内でアクセスを得ようと試みていることを示すシステム・アクセス・タイプ・パラメータのうちの少なくとも１つを含む請求項５に記載の方法。
【請求項７】
認証システムが一部となっている第１のシステムの加入者のための移動識別子、および、加入者が、第１のシステムによって使用される認証プロセスとは異なる認証プロセスを使用する第２のシステムへのアクセスを得ようと試みていることを示す第２のシステムの指標を含む第１のメッセージを受信するための手段と、
移動識別子、および、第２のシステムの指標を使用して、加入者に関連する共有秘匿データを決定するための手段と、
共有秘匿データを有する第１のシステムからの第２のメッセージを送信するための手段とを含む認証システム。
【請求項８】
第２のシステムの指標が、デフォルト値またはゼロ値に設定された電子的通し番号、加入者がＧＳＭに基づく無線通信システム内でローミングしていることを示すシステム機能パラメータ、または、加入者が、ＧＳＭに基づく無線通信システム内でアクセスを得ようと試みていることを示すシステム・アクセス・タイプ・パラメータのうちの少なくとも１つを含む請求項７に記載の認証センタ。